【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
ワイヤレスネットワークと通信するための方法であって、
第1のワイヤレス通信デバイスをワイヤレス通信デバイスによって発見するステップと、
前記第1のワイヤレス通信デバイスを発見した後、更新されたタイミング同期信号を、前記第1のワイヤレス通信デバイスから前記ワイヤレス通信デバイスにおいて、第1のリスニング間隔の間に受信するステップと、
前記第1のリスニング間隔から第2のリスニング間隔に前記ワイヤレス通信デバイスによって遷移させるステップであって、前記第2のリスニング間隔が前記更新されたタイミング同期信号を前記第1のワイヤレス通信デバイスから送信するための間隔に基づき、前記第2のリスニング間隔が前記第1のリスニング間隔より小さい、ステップと、
前記更新されたタイミング同期信号を少なくとも1つの他のワイヤレス通信デバイスに通信するステップと、
前記更新されたタイミング同期信号に基づいてタイミングを前記少なくとも1つの他のワイヤレス通信デバイスと同期させるステップとを含む、方法。
【請求項２】
前記第1のワイヤレス通信デバイスが、ユーザ機器(UE)を含み、前記方法は、前記更新されたタイミング同期信号を前記UEからUEビーコンの一部として受信するステップをさらに含み、
前記方法は、さらに、
発見信号を前記UEから受信するステップと、
前記発見信号を受信したことに応答して前記更新されたタイミング同期信号に対する要求を前記UEに送信するステップとをさらに含む、請求項1に記載の方法。
【請求項３】
前記方法が、
前記更新されたタイミング同期信号を受信する前に、前記少なくとも1つの他のワイヤレス通信デバイスとのタイミングを第1のタイミング同期信号に同期させるステップと、
前記更新されたタイミング同期信号が前記第1のタイミング同期信号より高いタイミング優先度ランクを有するかどうかを評価するステップと、
前記更新されたタイミング同期信号が前記第1のタイミング同期信号より高いタイミング優先度ランクを有することに応答して、前記更新されたタイミング同期信号を通信するステップとをさらに含むか、または、
前記ワイヤレス通信デバイスおよび前記少なくとも1つの他のワイヤレス通信デバイスが、ワイヤレス通信デバイスの第1のグループの一部であり、前記方法が、
ワイヤレス通信デバイスの第2のグループの少なくとも1つのワイヤレス通信デバイスをワイヤレス通信デバイスの前記第1のグループへとマージするステップであって、ワイヤレス通信デバイスの前記第1のグループおよびワイヤレス通信デバイスの前記第2のグループがそれぞれ、前記更新されたタイミング同期信号に基づいて同期される、ステップをさらに含み、
ワイヤレス通信デバイスの前記第1および第2のグループがそれぞれ、前記更新されたタイミング同期信号を、共通のユーザ機器(UE)を含む前記第1のワイヤレス通信デバイスから受信する、請求項1に記載の方法。
【請求項４】
前記方法が、前記第1のワイヤレス通信デバイスからのさらなる同期信号をモニタリングするために、前記ワイヤレス通信デバイスと前記少なくとも1つの他のワイヤレス通信デバイスとの間で順番を交互にするステップをさらに含むか、または、
前記更新されたタイミング同期信号が、ワイヤレスローカルエリアネットワーク(WLAN)、Bluetooth(登録商標)、Bluetooth(登録商標)低エネルギー(BLE)、ZigBee、または無線周波数識別(RFID)通信のうちの少なくとも1つを使用して前記第1のワイヤレス通信デバイスから受信される、請求項1に記載の方法。
【請求項５】
検出された事象からデータを生成するように構成されたセンサと、
トランシーバであって、
第1のワイヤレス通信デバイスを発見すること、
前記発見の後、更新されたタイミング同期信号を前記第1のワイヤレス通信デバイスから第1のリスニング間隔の間に受信すること、および
前記更新されたタイミング同期信号を少なくとも1つの他のワイヤレス通信デバイスに通信することを行うように構成された、トランシーバと、
プロセッサであって、
前記第1のリスニング間隔から第2のリスニング間隔に遷移することであって、前記第2のリスニング間隔が前記更新されたタイミング同期信号を前記第1のワイヤレス通信デバイスから送信するための間隔に基づき、前記第2のリスニング間隔が前記第1のリスニング間隔より小さい、こと、および
前記更新されたタイミング同期信号に基づいてタイミングを前記少なくとも1つの他のワイヤレス通信デバイスと同期させることを行うように構成されたプロセッサと
を備える、ワイヤレス通信デバイス。
【請求項６】
前記第1のワイヤレス通信デバイスがユーザ機器(UE)を含み、前記トランシーバが、前記更新されたタイミング同期信号を前記UEからUEビーコンの一部として受信するように構成されるか、または、
前記プロセッサが、
前記トランシーバが前記更新されたタイミング同期信号を受信する前に、前記少なくとも1つの他のワイヤレス通信デバイスとのタイミングを第1のタイミング同期信号に同期させることと、
前記更新されたタイミング同期信号が前記第1のタイミング同期信号より高いタイミング優先度ランクを有するかどうかを評価することと、
前記更新されたタイミング同期信号が前記第1のタイミング同期信号より高いタイミング優先度ランクを有することに応答して、前記更新されたタイミング同期信号を通信することとを行うようにさらに構成される、請求項5に記載のワイヤレス通信デバイス。
【請求項７】
前記ワイヤレス通信デバイスおよび前記少なくとも1つの他のワイヤレス通信デバイスが、ワイヤレス通信デバイスの第1のグループの一部であり、前記プロセッサが、
ワイヤレス通信デバイスの第2のグループの少なくとも1つのワイヤレス通信デバイスをワイヤレス通信デバイスの前記第1のグループへとマージするようにさらに構成され、
イヤレス通信デバイスの前記第1のグループおよびワイヤレス通信デバイスの前記第2のグループがそれぞれ、前記更新されたタイミング同期信号に基づいて同期されるか、または、
前記トランシーバが、デバイス間(D2D)通信を使用して前記更新されたタイミング同期信号を前記少なくとも1つの他のワイヤレス通信デバイスに通信するようにさらに構成される、請求項5に記載のワイヤレス通信デバイス。
【請求項８】
前記プロセッサが、
前記第1のワイヤレス通信デバイスからのさらなる同期信号をモニタリングするために、前記ワイヤレス通信デバイスと前記少なくとも1つの他のワイヤレス通信デバイスとの間で順番を交互にするようにさらに構成される、請求項5に記載のワイヤレス通信デバイス。
【請求項９】
ワイヤレスネットワークと通信するための方法であって、
同期されたワイヤレス通信デバイスの第1のグループの第1のワイヤレス通信デバイスをユーザ機器(UE)によって発見するステップと、
更新されたタイミング同期信号を、第1の送信期間に従って、前記UEから前記第1のワイヤレス通信デバイスに送信するステップとを含み、
前記第1の送信期間が、同期されたワイヤレス通信デバイスの前記第1のグループのうちの1つまたは複数の通信デバイスからの1つまたは複数のビーコンに関連付けられた第2の送信期間より短く、
同期されたワイヤレス通信デバイスの前記第1のグループの同期タイミングが、前記更新されたタイミング同期信号に基づいて更新され得る、方法。
【請求項１０】
前記発見するステップが、
発見信号を前記UEから前記第1のワイヤレス通信デバイスに送信するステップと、
前記更新されたタイミング同期信号に対する要求を前記第1のワイヤレス通信デバイスから受信するステップと、
前記受信された要求に応答して前記更新されたタイミング同期信号を送信するステップとをさらに含むか、または、
前記更新されたタイミング同期信号が、UEビーコンの一部として送信されるか、または、
前記更新されたタイミング同期信号が、全地球測位システム(GPS)タイミングおよび基地局タイミングのうちの少なくとも1つに基づく、請求項9に記載の方法。
【請求項１１】
前記更新されたタイミング同期信号を、前記UEから、同期されたワイヤレス通信デバイスの第2のグループの第2のワイヤレス通信デバイスに送信するステップをさらに含み、
同期されたワイヤレス通信デバイスの前記第1および第2のグループが、各グループの前記同期タイミングが前記更新されたタイミング同期信号に基づいて更新されたことに応答して共通の同期タイミングを有するように、同期されたワイヤレス通信デバイスの前記第2のグループの同期タイミングが、前記更新されたタイミング同期信号に基づいて更新され得る、請求項9に記載の方法。
【請求項１２】
ワイヤレスネットワークと通信するためのユーザ機器(UE)であって、
更新されたタイミング同期信号を生成するように構成されたプロセッサと、
トランシーバであって、
同期されたワイヤレス通信デバイスの第1のグループの第1のワイヤレス通信デバイスを発見すること、および
前記更新されたタイミング同期信号を第1の送信期間に従って前記第1のワイヤレス通信デバイスに送信することを行うように構成された、トランシーバとを備え、
前記第1の送信期間が、同期されたワイヤレス通信デバイスの前記第1のグループのうちの1つまたは複数の通信デバイスからの1つまたは複数のビーコンに関連付けられた第2の送信期間より短く、
同期されたワイヤレス通信デバイスの前記第1のグループの同期タイミングが、前記更新されたタイミング同期信号に基づいて更新され得る、ユーザ機器。
【請求項１３】
前記トランシーバが、
発見信号を前記第1のワイヤレス通信デバイスに送信することと、
前記更新されたタイミング同期信号に対する要求を前記第1のワイヤレス通信デバイスから受信することと、
前記要求を受信したことに応答して、前記更新されたタイミング同期信号を前記第1のワイヤレス通信デバイスに送信することとを行うようにさらに構成されるか、または、
前記トランシーバが、
前記更新されたタイミング同期信号を前記ワイヤレス通信デバイスのビーコンの一部として送信するようにさらに構成されるか、または、
前記トランシーバが、
前記更新されたタイミング同期信号を前記ワイヤレス通信デバイスのビーコンと別個である信号送信の一部として送信するように構成される、請求項12に記載のユーザ機器。
【請求項１４】
前記トランシーバが、
前記更新されたタイミング同期信号を同期されたワイヤレス通信デバイスの第2のグループの第2のワイヤレス通信デバイスに送信するようにさらに構成され、
同期されたワイヤレス通信デバイスの前記第1および第2のグループが、各グループの同期タイミングが前記更新されたタイミング同期信号に基づいて更新されたことに応答して共通の同期タイミングを有するように、同期されたワイヤレス通信デバイスの前記第2のグループの同期タイミングが、前記更新されたタイミング同期信号に基づいて更新され得るか、または、
前記更新されたタイミング同期信号が、全地球測位システム(GPS)タイミングおよび基地局タイミングのうちの少なくとも1つに基づく、請求項12に記載のユーザ機器。
【請求項１５】
請求項1から4または請求項9から11のいずれか一項に記載の方法を実行するための命令を含むコンピュータプログラム。